(57)【要約】【課題】締付ネジの捩込操作がワークの上方で行えるようにしてワークへの把持作業を容易にすることが可能なクランプを提供する。【解決手段】相対する一対のあご部１１ｂ、１１ｃと、両あご部１１ｂ、１１ｃを連結する連結部１１ａからなる略コ字形の本体部１１と、あご部１１ｂに捩込まれる締付ネジ１２よりなるクランプ３において、あご部１１ｂから突出する締付ネジ１２の端部に、クレーン等のフックを直接掛けて吊り上げを行うことができるアイ部３１を突設した。【選択図】図４
2005220930.tif 000002
【特許請求の範囲】
【請求項１】
一対のあご部と、両あご部を連結する連結部よりなる略コ字形の本体部と、両あご部のうちの一方に他方に向けて進退可能に捩込まれる締付ネジと、あご部から突出する締付ネジの端部に突設され、クレーン等のフックが掛けられるか、或いは該フックに掛けられたワイヤーが通されるアイ部とを備え、上記締付ネジの捩込みによって締付ネジ先端部と上記あご部との間でワークを把持するようにしたことを特徴とするクランプ。
【請求項２】
締付ネジの端部に抜け止めされてスライド自在に差込まれるロッドを有することを特徴とする請求項1記載のクランプ。
【請求項３】
上記締付ネジには緩み防止のためのロックナットが螺着されることを特徴とする請求項1又は２記載のクランプ。
【発明の詳細な説明】
【技術分野】
【０００１】
本発明は、鉄板、形鋼、鉄骨、橋梁、鋼構造物等（以下、「ワーク」という）を把持し、クレーン等により吊り下げて搬送する際に用いるクランプに関する。
【背景技術】
【０００２】
この種のクランプとしては、図１に示されるようなものが知られる。このクランプ１は、相対する一対のあご部１１ｂ、１１ｃと両あご部１１ｂ及び１１ｃを連結する連結部１１ａからなる略コ字形の本体部１１と、あご部１１ｂに捩込まれる締付ネジ１２と、該締付ネジ１２の端部に抜け止めされてスライド自在に差込まれ、締付ネジ１２を回転させるためのロッド１３と、締付ネジ１２とは反対側のあご部１１ｃに突設され、クレーン等のフックに掛けられたワイヤーが通されるか、或いは上記フックが掛けられるアイ部１４と、あご部１１ｃの内側に取付けられ、締付ネジ１２とでワークを把持するための把持部１５とから構成されている。
【０００３】
ワークを把持するときには、締付ネジ１２に差込まれたロッド１３を旋回操作することによって締付ネジ１２を捩込んで、その先端部１６と把持部１５とでワークを挟み込んで把持する。図２は、その使用例として、ワークのＨ型鋼１７を吊り上げたときの例を示すもので、Ｈ型鋼１７の前後左右の４か所に上記クランプ１を取付け、それぞれのクランプ１のアイ部１４にワイヤー２１を通してクレーンのフック２２により吊り上げた態様を示すものである。
【発明の開示】
【発明が解決しようとする課題】
【０００４】
従来のクランプ１では、ワークを把持するときアイ部１４を上向きにしてワークに取付けられるが、ワークの上方向には通常、障害物が存在しないのに対し、下側には地面やワークなどの障害物があったり、充分な作業スペースがないことが多い。そのため図１に示されるように、締付ネジ１２がアイ部１４の反対側に設けられている従来のクランプ１では、ロッド１３を旋回操作してクランプ１をワークに取付ける作業が容易でなかった。
例えば図３に示されるように、地面上に置かれるＨ型鋼１７を把持する場合、ロッド１３を旋回操作するために作業者は腰を屈め、力が入り難い体勢で、しかも狭いスペースの中でロッド１３を一定量ずつ回しては反対側からロッド１３を引出して旋回する操作を繰り返す必要があった。
【０００５】
本発明は、上記の問題を解消することを目的としてなされたもので、締付ネジの捩込操作がワークの上方で行えるようにしてワークへの把持作業を容易にすることが可能なクランプを提供しようとするものである。
【課題を解決するための手段】
【０００６】
請求項１に係る発明のクランプは、一対のあご部と、両あご部を連結する連結部よりなる略コ字形の本体部と、両あご部のうちの一方に他方に向けて進退可能に捩込まれる締付ネジと、あご部から突出する締付ネジの端部に突設され、クレーン等のフックが掛けられるか、或いは該フックに掛けられたワイヤーが通されるアイ部とを備え、上記締付ネジの捩込みによって締付ネジ先端部と上記あご部との間でワークを把持するようにしたものである。
【０００７】
本発明のクランプは、締付ネジに図１に示されるようなロッド１３が取付けてあってもよいし、ロッド１３を省いてもよい。ロッド１３を省く場合、締付ネジの捩込みは、アイ部にロッド１３とは別のロッドを差込み、該ロッドをロッド１３と同様に操作することによって行われる。
請求項２に係る発明のクランプは、請求項１に係る発明のクランプにおいて、締付ネジの端部に抜け止めされてスライド自在に差込まれるロッドを有するものである。
【０００８】
請求項３に係る発明のクランプは、請求項１又は２に係る発明のクランプにおいて、締付ネジに緩み防止のためのロックナットを螺着してなるものである。
ここでロックナットは、通常の六角ナットのほか、蝶ナットを含むものとする。
【発明の効果】
【０００９】
請求項１に係る発明のクランプによると、ワークを把持するとき、アイ部が上向き又は横向きをなすように取付けられるが、アイ部を上向き又は横向きにすると、締付ネジも上向き又は横向きに突出するようになり、ワーク上方又は側方には通常、障害物がないため締付ネジに抜け止めされて差込まれるロッドの旋回作業を行う場合或いはアイ部にロッドを差込んで旋回作業を行う場合のいずれの場合でも、締付ネジの捩込みによるワークの把持作業が容易に行えるようになる。
【００１０】
請求項２に係る発明のクランプによると、ワークへの把持作業が締付ネジに取付けられるロッドを旋回操作することによっても、又アイ部にロッドを差込んでこれを旋回操作することによっても行うことができる。
請求項３に係る発明のクランプによると、締付ネジの緩みをより確実に防止することができる。
【発明を実施するための最良の形態】
【００１１】
図４は、本発明に係るクランプについて示すもので、図１に示すクランプ１と同一構造部分は同一符号を付して、その説明を省略する。クランプ３が図１に示すクランプ１と異なる点は、あご部１１ｃにアイ部１４が突設されていないこと、あご部１１ｂより突出する締付ネジ１２の端部にアイ部３１が突設されていること、連結部１１ａにも２つのアイ部３２、３３が突設されていること、そして締付ネジ１２に緩み止めのためのロックナット３４が取付けられていることなどで、ロックナット３４は、手動操作が可能な蝶ナットに変えてもよい。
【００１２】
図５は、クランプ３を鉄板３５のエッジに取付けた状態を示すもので、クランプ３による鉄板３５の把持は、締付ネジ１２に差込まれたロッド１３を旋回操作して締付ネジ１２を捩込むことにより行われるが、アイ部１４に別のロッドを差込んで、このロッドを旋回操作することによっても行うことができる。把持後、鉄板３５はアイ部３１にワイヤーを通すか、クレーンのフックを直接掛けて吊り上げられる。
【００１３】
ワークが縦向きをなす場合、クランプ３でワークを左右から把持し、アイ部３２又は３３にフックを掛けたり、ワイヤーを通して吊り上げられる。またクランプ３を図５に示すようにして取付けた場合でも、フックをアイ部３２又は３３に掛けたり、ワイヤーを通して吊り上げることもできる。また、図示するクランプ３では、連結部１１ａに２つのアイ部３２、３３が設けられているが、アイ部は１つにしてもよいし、あご部１１ｃ等に設けてもよい。
【００１４】
本実施形態のクランプ３によると、障害物のない吊り上げ方向側からワークへの把持作業を行うことができるので、ロッドの旋回作業が容易に行えること、複数のアイ部３１、３２、３３を突設しているのでワークの形状や重心などに応じて適切なアイ部３１、３２、３３を選択し、吊り上げることができること等の効果を奏する。
【００１５】
図６は、図１に示すクランプ１において、締付ネジ１２に差込まれるロッド１３を省いて該締付ネジ１２の端部に図４に示すクランプ３と同様、アイ部３１を形成したものである。図７は、図６に示すクランプ４を用いてＨ形鋼１７を把持した状態を示すものである。このクランプ４によるＨ形鋼１７の把持は、締付ネジ１２のアイ部３１にロッド（図示しない）を差込み、該ロッドを梃子の作用で旋回操作して締付ネジ１２を捩込むことにより行われ、クランプ後ワイヤーを通すか、クレーンのフックを掛けて吊り上げる。本実施形態においても、締付ネジ１２には緩み止めのため、ロックナット３４が捩込まれる。
【００１６】
本実施形態のクランプ４によると、アイ部があご部１１ｃに突設されるアイ部１４と締付ネジ１２に突設されるアイ部３１とよりなっており、ワークへのクランプは上下いずれの向きから行ってもアイ部１４又は３１にワイヤーを通したり、クレーンのフックを掛けて吊り上げを行うことができること、締付ネジ１２には、図１に示すようなロッド１３が取付けられていないので、締付ネジ１２にロッドを通すための孔を設けることやロッドの両端部に抜け止め防止のための突部１８を設ける必要がないこと、クランプ保管時や運搬時にロッドによるスペースを取る必要がないこと、締付ネジ１２のみを交換すれば、既存のクランプをそのまま用いることもできる等の効果を奏する。
【図面の簡単な説明】
【００１７】
【図１】従来のクランプの正面図。
【図２】従来のクランプを用いてＨ型鋼を吊り上げた状態を示す斜視図。
【図３】従来のクランプを用いて把持した状態を示す正面図。
【図４】本発明に係るクランプの正面図。
【図５】図４に示すクランプを用いて鉄板を把持した状態を示す図。
【図６】本発明に係るクランプの別の例を示す正面図。
【図７】図６に示すクランプを用いてＨ型鋼を把持した状態を示す図。
【符号の説明】
【００１８】
１、３、４・・クランプ
１１ａ・・連結部
１１ｂ、１１ｃ・・あご部
１２・・締付ネジ
１３・・ロッド
１４、３１、３２、３３・・アイ部
１５・・把持部
１６・・先端部
１７・・Ｈ型鋼
１８・・突部
２１・・ワイヤー
２２・・フック
３４・・ロックナット
【図１】
2005220930.tif 000003
【図２】
2005220930.tif 000004
【図３】
2005220930.tif 000005
【図４】
2005220930.tif 000006
【図５】
2005220930.tif 000007
【図６】
2005220930.tif 000008
【図７】
2005220930.tif 000009